(57)【要約】【課題】フィルタ装置の交換時に煩わしい設定操作を要することなく、新たに装着されたフィルタ装置を適正に管理できる電気機器、投写型表示装置およびフィルタ装置を提供する。【解決手段】プロジェクタは、プロジェクタ本体に着脱可能に配され、プロジェクタ本体に取り込まれる空気に含まれる塵や埃を取り除くフィルタカセット４０と、フィルタカセット４０に関する制御を行う制御部８０１とを備えている。フィルタカセット４０は、フィルタ４０９と、フィルタ４０９の使用状況に関する管理情報を記憶する記憶部４５２をと有している。制御部８０１は、プロジェクタ本体に装着されたフィルタカセット４０の記憶部４５２から管理情報を読み出すとともに、読み出した管理情報を用いてフィルタカセット４０に関する制御を行う。【選択図】図５
2011221140.tif 000002
【特許請求の範囲】
【請求項１】
電気機器において、
機器本体に着脱可能に配されるとともに機器本体内に流れ込む流体から不要物を取り除くフィルタ装置と、
前記フィルタ装置に関する制御を行う制御部と、を備え、
前記フィルタ装置は、フィルタと、前記フィルタの使用状況に関する管理情報を記憶する記憶部とを有し、
前記制御部は、前記機器本体に装着された前記フィルタ装置の前記記憶部から前記管理情報を読み出すとともに、読み出した前記管理情報を用いて前記フィルタ装置に関する制御を行う、
ことを特徴とする電気機器。
【請求項２】
請求項１に記載の電気機器において、
前記管理情報は、前記フィルタの使用度合に関する情報を含み、
前記制御部は、前記機器本体に装着された前記フィルタ装置の前記フィルタが使用されるに応じて、前記記憶部に記憶された前記使用度合に関する情報を更新する、
ことを特徴とする電気機器。
【請求項３】
請求項２に記載の電気機器において、
前記制御部は、前記フィルタの使用度合が予め定めた使用限度に達すると、前記フィルタ装置の交換を促す報知を行う、
ことを特徴とする電気機器。
【請求項４】
請求項１ないし３の何れか一項に記載の電気機器において、
さらに、前記フィルタの目詰まり具合を検出する目詰まり検出部を備え、
前記管理情報は、前記フィルタの目詰まり具合の限度を示す閾値を含み、
前記制御部は、前記目詰まり検出部により検出された前記フィルタの目詰まり具合が前記閾値に達すると、前記フィルタの目詰まりを解消するための制御を行う、
ことを特徴とする電気機器。
【請求項５】
請求項１ないし４の何れか一項に記載の電気機器において、
前記記憶部は、前記フィルタに流入する前の前記流体との接触を回避する位置に配されている、
ことを特徴とする電気機器。
【請求項６】
投写型表示装置において、
装置本体に着脱可能に配されるとともに装置本体内に流れ込む空気から不要物を取り除くフィルタ装置と、
前記フィルタ装置に関する制御を行う制御部と、を備え、
前記フィルタ装置は、フィルタと、前記フィルタの使用状況に関する管理情報を記憶する記憶部とを有し、
前記制御部は、前記装置本体に装着された前記フィルタ装置の前記記憶部から前記管理情報を読み出すとともに、読み出した前記管理情報を用いて前記フィルタ装置に関する制御を行う、
ことを特徴とする投写型表示装置。
【請求項７】
電気機器に着脱可能に配されるフィルタ装置であって、
フィルタと、
前記フィルタの使用状況に関する管理情報を記憶するとともに前記管理情報を読み出し
および更新可能な記憶部と、
当該フィルタ装置が前記電気機器に装着された状態において、前記記憶部から前記管理情報を前記電気機器へ読み出すとともに、前記フィルタの使用に応じて前記記憶部に記憶された前記管理情報を更新するための通信部と、を有する、
ことを特徴とするフィルタ装置。
【発明の詳細な説明】
【技術分野】
【０００１】
本発明は、フィルタ装置を備える電気機器および投写型表示装置、および、これらの機器に用いられるフィルタ装置に関する。
【背景技術】
【０００２】
プロジェクタやエアコン、空気清浄機など、機器内へ外気を取り込む電気機器では、一般に、外気に含まれる不要物（塵、埃など）を取り除くため、吸気口にフィルタ装置が着脱可能に配される。
【０００３】
このような電気機器では、フィルタ装置の機能を適正に発揮させるための制御がなされ得る（特許文献１、特許文献２参照）。たとえば、フィルタ装置の目詰まりの具合が、予め定められた閾値を越えると、フィルタ装置が目詰まりを起こしていることが報知される。また、フィルタ装置が、予め定められた使用限度を超えると（たとえば、巻取り式のフィルタ装置では、フィルタが全て巻き取られると）、フィルタ装置の交換が必要である旨の報知がなされる。
【先行技術文献】
【特許文献】
【０００４】
【特許文献１】特開２００７−０７８７３４号公報
【特許文献２】特開２００９−２２３１１２号公報
【発明の概要】
【発明が解決しようとする課題】
【０００５】
上記のような電気機器では、使用状況に応じてフィルタ装置が適宜交換され得る。たとえば、周りに飛散する埃の状況に応じて、目の大きさが異なる他のフィルタ装置が電気機器に装着される。また、目詰まりが生じる前に取り外されたフィルタ装置も、その後の電気機器の使用状況に応じて、再び、電気機器に装着される。
【０００６】
このようにフィルタ装置が交換された場合であっても、機器本体側では、新たに装着されたフィルタ装置を適正に管理する必要がある。しかしながら、フィルタ装置を交換する都度、管理のための設定操作をユーザに行わせるのでは、ユーザにとって煩わしく、使い勝手が悪い。
【０００７】
本発明は、かかる課題に鑑みてなされたものであり、フィルタ装置の交換時に煩わしい設定操作を要することなく、新たに装着されたフィルタ装置を適正に管理できる電気機器、投写型表示装置およびフィルタ装置を提供することを目的とする。
【課題を解決するための手段】
【０００８】
本発明の第１の態様に係る電気機器は、機器本体に着脱可能に配されるとともに機器本体内に流れ込む流体から不要物を取り除くフィルタ装置と、前記フィルタ装置に関する制御を行う制御部と、を備える。ここで、前記フィルタ装置は、フィルタと、前記フィルタの使用状況に関する管理情報を記憶する記憶部とを有する。前記制御部は、前記機器本体に装着された前記フィルタ装置の前記記憶部から前記管理情報を読み出すとともに、読み出した前記管理情報を用いて前記フィルタ装置に関する制御を行う。
【０００９】
本発明の第１の態様に係る電気機器によれば、フィルタの使用状況に関する管理情報が、フィルタ装置自身に保持されており、その管理情報が機器本体側に読み出されることに
よってフィルタ装置に関する制御が実行される。よって、フィルタ装置を交換する際にユーザに煩わしい設定操作を行わせることなく、新たに装着されたフィルタ装置についての適正な制御を行うことができる。
【００１０】
第１の態様に係る電気機器において、前記管理情報は、前記フィルタの使用度合に関する情報を含み得る。この場合、前記制御部は、前記機器本体に装着された前記フィルタ装置の前記フィルタが使用されるに応じて、前記記憶部に記憶された前記使用度合に関する情報を更新するよう構成され得る。
【００１１】
このような構成とすれば、フィルタが使用されるに応じて記憶部に記憶されたフィルタの使用度合いに関する情報が更新されるので、フィルタの使用状況を適正に管理することができる。よって、新たに装着されたフィルタ装置が、すでに使用されているフィルタ装置である場合でも、機器本体側おいて、そのフィルタ装置の使用度合を把握することができる。
【００１２】
この場合、前記制御部は、前記フィルタの使用度合が予め定めた使用限度に達すると、前記フィルタ装置の交換を促す報知を行うよう構成され得る。この構成によれば、すでに使用されているフィルタ装置が機器本体に装着された場合であっても、そのフィルタ装置に対する交換時期を適正に判定して、フィルタ装置の交換を促す報知を行うことができる。
【００１３】
第１の態様に係る電気機器は、さらに、前記フィルタの目詰まり具合を検出する目詰まり検出部を備えるよう構成され得る。この場合、前記管理情報は、前記フィルタの目詰まり具合の限度を示す閾値を含み得る。前記制御部は、前記目詰まり検出部により検出された前記フィルタの目詰まり具合が前記閾値に達すると、前記フィルタの目詰まりを解消するための制御を行うよう構成され得る。
【００１４】
このような構成とすれば、フィルタ装置の種類に応じた適正な目詰まり判定が行われるので、その判定結果に基づいて、フィルタを自動で交換したり目詰まりを報知したりするなど、フィルタの目詰まりを解消するための制御を適正に行うことができる。
【００１５】
第１の態様に係る電気機器において、前記記憶部は、前記フィルタに流入する前の前記流体との接触を回避する位置に配されるよう構成され得る。
【００１６】
このような構成とすれば、前記記憶部が、流体に含まれる不要物にさらされにくく、記憶部が不要物にさらされることによる悪影響を抑えることができる。
【００１７】
本発明の第２の態様に係る投写型表示装置は、装置本体に着脱可能に配されるとともに装置本体内に流れ込む空気から不要物を取り除くフィルタ装置と、前記フィルタ装置に関する制御を行う制御部と、を備える。ここで、前記フィルタ装置は、フィルタと、前記フィルタの使用状況に関する管理情報を記憶する記憶部とを有する。前記制御部は、前記装置本体に装着された前記フィルタ装置の前記記憶部から前記管理情報を読み出すとともに、読み出した前記管理情報を用いて前記フィルタ装置に関する制御を行う。
【００１８】
本発明の第２の態様に係る投写型表示装置によれば、第１の態様と同様、フィルタ装置を交換する際にユーザに煩わしい設定操作を行わせることなく、新たに装着されたフィルタ装置についての適正な制御を行うことができる。
【００１９】
本発明の第３の態様は、電気機器に着脱可能に配されるフィルタ装置に関する。本態様のフィルタ装置は、フィルタと、前記フィルタの使用状況に関する管理情報を記憶すると
ともに前記管理情報を読み出しおよび更新可能な記憶部と、当該フィルタ装置が前記電気機器に装着された状態において、前記記憶部から前記管理情報を前記電気機器へ読み出すとともに、前記フィルタの使用に応じて前記記憶部に記憶された前記管理情報を更新するための通信部とを有する。
【００２０】
本発明の第３の態様に係るフィルタ装置によれば、第１の態様と同様、フィルタ装置を交換する際にユーザに煩わしい設定操作を行わせることなく、電気機器側において、新たに装着されたフィルタ装置についての適正な制御を行うことができる。
【発明の効果】
【００２１】
以上のとおり、本発明によれば、フィルタ装置の交換時に煩わしい設定操作を要することなく、新たに装着されたフィルタ装置を適正に管理できる電気機器、投写型表示装置およびフィルタ装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】第１の実施形態に係るプロジェクタの構成を示す外観斜視図である。
【図２】第１の実施形態に係る光学エンジンの構成を示す図である。
【図３】第１の実施形態に係るフィルタカセットの構成を示す図である。
【図４】第１の実施形態に係るフィルタ装着部へのフィルタカセットの装着について説明するための図である。
【図５】第１の実施形態に係るプロジェクタの構成を示すブロック図である。
【図６】第１の実施形態に係るフィルタカセットの記憶部に記憶された各種管理情報の内容を示す図である。
【図７】第１の実施形態に係るフィルタカセットに関する管理制御の処理フローを示す図である。
【図８】第１の実施形態に係る目詰まりに関する処理の処理フローを示す図である。
【図９】第２の実施形態に係るフィルタカセットの構成を示す図である。
【図１０】第２の実施形態に係るプロジェクタの構成を示すブロック図である。
【図１１】第２の実施形態に係るフィルタカセットの記憶部に記憶された各種管理情報の内容を示す図である。
【図１２】第２の実施形態に係るフィルタカセットに関する管理制御の処理フローを示す図である。
【図１３】第２の実施形態に係る使用積算時間に関する処理および目詰まりに関する処理の処理フローを示す図である。
【図１４】第３の実施形態に係るフィルタカセットの構成を示す図である。
【図１５】第３の実施形態に係るプロジェクタの構成を示すブロック図である。
【図１６】第３の実施形態に係るフィルタカセットの記憶部に記憶された各種管理情報の内容を示す図である。
【図１７】第３の実施形態に係る目詰まりに関する処理の処理フローを示す図である。
【発明を実施するための形態】
【００２４】
＜第１の実施形態＞
以下、図１から図８を参照して、第１の実施形態に係るプロジェクタについて説明する。
【００２５】
図１は、プロジェクタの構成を示す外観斜視図である。
【００２６】
図１を参照して、プロジェクタは、横長の略直方体形状を有するキャビネット１０を備えている。キャビネット１０には、前面中央に投写窓１０１が形成されている。また、キャビネット１０の左側面は、前端部および後端部を除いて吸気口カバー１０２により構成されている。吸気口カバー１０２は、その下端部にヒンジ構造（図示ぜず）を有し、図中の一点鎖線に示すように、下端部を支点にして左方向に開放する。吸気口カバー１０２には、多数の孔からなる吸気口１０３が形成されている。
【００２７】
キャビネット１０の内部には、光学エンジン２０および投写レンズ３０が配されている。光学エンジン２０は、ランプからの光を映像信号に基づいて変調することにより映像光を生成する。光学エンジン２０には、投写レンズ３０が装着されており、投写レンズ３０の前端部が、投写窓１０１から前方に露出している。投写レンズ３０は、光学エンジン２０で生成された映像光を、プロジェクタの前方に配されたスクリーンに拡大投写する。
【００２８】
図２は、光学エンジン２０の構成を示す図である。
【００２９】
図２に示すように、光学エンジン２０は、ランプ２０１と、導光光学系２０２と、３つの透過型の液晶パネル２０３、２０４、２０５と、ダイクロイックプリズム２０６とを備えている。なお、液晶パネル２０３、２０４、２０５の入射側と出射側には図示しない偏光板が配されている。
【００３０】
ランプ２０１は、たとえば、メタルハライドランプやキセノンランプである。ランプ２０１から出射された白色光は、導光光学系２０２によって赤色波長帯の光（以下、「Ｒ光」という）と、緑色波長帯の光（以下、「Ｇ光」という）と、青色波長帯の光（以下、「Ｂ光」という）に分離され、液晶パネル２０３、２０４、２０５に照射される。これら液晶パネル２０３、２０４、２０５によって変調されたＲ光、Ｇ光、Ｂ光は、ダイクロイックプリズム２０６によって色合成され、映像光として出射される。
【００３１】
なお、光学エンジン２０を構成する光変調素子としては、上記透過型の液晶パネル２０３、２０４、２０５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３２】
図１に戻り、キャビネット１０内の左側面側には、フィルタ装着部１０４が設けられている。フィルタ装着部１０４には、フィルタカセット４０が着脱可能に装着されている。フィルタカセット４０は、フィルタが自動で交換される自動交換式のフィルタ装置である。フィルタカセット４０の前面は、吸気口カバー１０２により覆われている。フィルタカセット４０を交換する際には、吸気口カバー１０２が開放されて、フィルタカセット４０がフィルタ装着部１０４から取り外される。
【００３３】
なお、以降の説明において、フィルタカセット４０を除くプロジェクタの構成を、便宜上、「プロジェクタ本体」と称する。
【００３４】
図３は、フィルタカセット４０の構成を示す図である。図３（ａ）、（ｂ）は、それぞれ、フィルタカセット４０の正面図および背面図である。図３（ｃ）、（ｄ）は、それぞれ、前方から見たフィルタカセット４０の内部透視図、および上方から見たフィルタカセット４０の内部透視図である。
【００３５】
図３を参照して、フィルタカセット４０は、フィルタを内蔵するカセット本体４００と、カセット本体４００に装着された記憶回路部４５０とにより構成されている。
【００３６】
カセット本体４００は、横長直方体形状のケース４０１を備えている。ケース４０１の前面中央部には吸気入口４０２が形成されており、後面中央部には吸気出口４０３が形成されている。吸気入口４０２と吸気出口４０３との間には、外気が通る通風路４０４が形成されている。ケース４０１において、通風路４０４の両側には、フィルタ収納部４０５、４０６が形成されている。フィルタ収容部４０５、４０６には、巻取り軸４０７、４０８およびガイド軸４１０、４１１が回転可能に配されている。
【００３７】
ケース４０１内には、通風路４０４を覆うように、シート状のフィルタ４０９が配されている。フィルタ４０９の未使用部分は、巻取り軸４０８に巻かれている。巻取り軸４０７、４０８が巻取り方向に回転すると、フィルタ４０９は、通風路４０４内に配されている使用部分が巻取り軸４０７に巻き取られ、未使用部分が通風路４０４側へ移動する。このとき、フィルタ４０９は、ガイド軸４１０、４１１によってガイドされ、巻取り軸４０８側から巻取り軸４０７側へ円滑に送られる。
【００３８】
なお、本実施の形態において、「フィルタを交換する」とは、フィルタ４０９の使用部分を巻取り軸４０７側に巻き取り、未使用部分を通風路４０４中に新たに配することをいう。
【００３９】
ケース４０１における吸気出口４０３の右側の背面には、記憶回路部４５０が装着されている。記憶回路部４５０には、コネクタ４５１が配されている。コネクタ４５１は、後述する記憶部４５２（図５参照）から管理情報をプロジェクタ本体側へ読み出すとともに、フィルタ４０９の使用に応じて記憶部に記憶された管理情報を更新するためものである。
【００４０】
図４は、フィルタ装着部１０４へのフィルタカセット４０の装着について説明するための図である。図４（ａ）は、フィルタカセット４０がフィルタ装着部１０４に装着される前の状態を示し、図４（ｂ）は、フィルタカセット４０がフィルタ装着部１０４に装着された状態を示す。
【００４１】
図４を参照して、フィルタ装着部１０４には、フィルタカセット４０の背面に対向する壁面に、吸気口１０５が形成されている。また、同壁面には、記憶回路部４５０に対応してインターフェイス回路部１０６が装着されている。インターフェイス回路部１０６には、コネクタ１０７が配されている。図４（ｂ）のように、フィルタカセット４０がフィルタ装着部１０４に装着されると、２つのコネクタ４５１、１０７が接続される。
【００４２】
こうして、フィルタカセット４０がフィルタ装着部１０４に装着された状態において、後述する各冷却ファンが回転すると、外気が、吸気口１０３、吸気入口４０２、フィルタ４０９、吸気出口４０３、吸気口１０５を通ってキャビネット１０内に吸気される。
【００４３】
ここで、記憶回路部４５０は、ケース４０１における吸気出口４０３の右側の背面、配されている。即ち、記憶回路部４５０は、フィルタ４０９の下流側であり、且つフィルタ４０９を通過した外気が直接当たらない位置に配されている。よって、外気に含まれる塵や埃が、記憶回路部４５０の記憶部４５２やコネクタ４５１に付着しにくく、記憶部４５２やコネクタ４５１が塵や埃による悪影響を受けにくい。また、記憶回路部４５０は、フィルタカバー１０２の吸気口１０３から極力離れた位置に配されている。よって、ユーザが吸気口１０３に触れた際に、万一、静電気が発生しても、記憶回路部４５０に高電圧が印加されにくく、記憶回路部４５０の破損や誤動作が防止できる。
【００４４】
図５は、プロジェクタの構成を示すブロック図である。
【００４５】
プロジェクタは、上述した構成に加えて、ランプ冷却ファン５１、電源冷却ファン５２およびパネル冷却ファン５３の３つの冷却ファンと、報知部６０と、フィルタ駆動機構７０と、制御回路部８０と、目詰まりセンサ９０とを備えている。
【００４６】
ランプ冷却ファン５１は、吸気した外気をランプ２０１へ供給し、ランプ２０１を冷却する。電源冷却ファン５２は、吸気した外気を電源部（図示せず）へ供給し、電源部を冷却する。パネル冷却ファン５３は、吸気した外気を液晶パネル２０３、２０４、２０５へ供給し、液晶パネル２０３、２０４、２０５を冷却する。
【００４７】
報知部６０は、ＬＥＤなどの表示素子やスピーカによって構成されており、フィルタカセット４０の目詰まりを報知したり、フィルタカセット４０の交換を促す報知を行ったりする。
【００４８】
フィルタ駆動機構７０は、巻取りモータ７０１を備えている。フィルタカセット４０がフィルタ装着部１０４へ装着されると、２つの巻取り軸４０７、４０８が、フィルタ駆動機構７０の伝達機構（図示せず）を介して巻取りモータ７０１に連結される。巻取りモータ７０１が回転すると、２つの巻取り軸４０７、４０８が回転し、フィルタ４０９が巻取り軸４０７側へ巻き取られる。
【００４９】
制御回路部８０は、制御部８０１、記憶部８０２、操作入力部８０３、リモコン受信部８０４、時間計測部８０５、映像信号入力部８０６、映像信号処理部８０７、パネル駆動部８０８、ファン駆動部８０９、ランプ駆動部８１０、報知駆動部８１１、モータ駆動部８１２を備えている。
【００５０】
操作入力部８０３は、操作部（図示せず）のボタン操作に応じた入力信号を制御部８０１に出力する。リモコン受信部８０４は、リモコン（図示せず）のボタン操作に応じた入力信号を制御部８０１に出力する。時間計測部８０５は、時間を計測して制御部８０１に出力する。
【００５１】
映像信号入力部８０６は、ＲＢＧ信号、コンポジット信号等の各種映像信号に対応する各種入力端子を有し、外部から入力された映像信号を映像信号処理部８０７へ出力する。映像信号処理部８０７は、映像信号入力部８０６から入力された映像信号を液晶パネル２０３、２０４、２０５で表示できるＲＧＢの映像信号に変換してパネル駆動部８０８に出力する。パネル駆動部８０８は、入力された映像信号および制御部８０１からの制御信号に従って液晶パネル２０３、２０４、２０５を駆動する。
【００５２】
ファン駆動部８０９は、制御部８０１からの制御信号に従って、ランプ冷却ファン５１、電源冷却ファン５２およびパネル冷却ファン５３を駆動する。ランプ駆動部８１０は、制御部８０１からの制御信号に従ってランプ２０１を駆動する。
【００５３】
報知駆動部８１１は、制御部８０１からの制御信号に従って報知部６０のＬＥＤやスピーカを駆動する。モータ駆動部８１２は、制御部８０１からの制御信号に従って、巻取りモータ７０１を駆動する。
【００５４】
記憶部８０２は、ＲＡＭ、ＲＯＭ等で構成されている。記憶部８０２には、制御部８０１に制御機能を付与するための制御プログラムが記憶されている。制御部８０１は、ＣＰＵを備え、かかる制御プログラムに従って各部を制御する。
【００５５】
目詰まりセンサ９０は、フィルタ４０９の目詰まり具合に応じた目詰まり信号を制御部８０１に出力する。目詰まりセンサ９０は、たとえば、風量センサによって構成される。風量センサは、たとえば、フィルタ装着部１０４の吸気口１０５に配される。この場合、フィルタ４０９の目詰まりが進行すると、吸気口１０５を通過する風量が低下する。風量センサからは、目詰まり検出信号として、風量に応じた検出電圧が出力される。
【００５６】
記憶回路部４５０には、記憶部４５２が配されている。記憶部４５２は、たとえば、不揮発性のメモリＩＣからなる。記憶部４５２には、フィルタカセット４０に関する管理制御（後述する）に用いられる各種管理情報が記憶されている。制御部８０１は、インターフェイス回路部１０６を介して記憶部４５２に記憶された各種管理情報の読み出しや書き込みを行う。なお、記憶回路部４５０への電源供給は、プロジェクタ側の電源部からインターフェイス回路部１０６を通じて行われる。
【００５７】
本実施の形態では、プロジェクタに適用されるフィルタカセット４０として、種類の異なる２つのフィルタカセットが用意されている。一つは、フィルタ４０９の目が粗く、大きな塵や埃が除去できるフィルタカセット（Ｔｙｐe−ＡＬ）である。もう一つは、フィルタ４０９の目が細かく、小さな塵や埃が除去できるフィルタカセット（Ｔｙｐｅ−ＡＳ）である。
【００５８】
図６は、フィルタカセット４０の記憶部４５２に記憶された各種管理情報の内容を示す図である。
【００５９】
ユーザは、プロジェクタの使用環境に応じて、適正な種類のフィルタカセット４０をプロジェクタに装着する。たとえば、大きな埃が多く、小さなほこりの少ない環境下でプロジェクタが使用される場合には、Ｔｙｐe−ＡＬのフィルタカセット４０がプロジェクタ本体に装着される。この場合、プロジェクタの設置場所が変わるなど、使用環境が変わり、たとえば、小さな埃が多い環境下になれば、Ｔｙｐe−ＡＳのフィルタカセット４０に交換される。外されたＴｙｐe−ＡＬのフィルタカセット４０は、使用環境が変われば、再びプロジェクタ本体に装着され得る。
【００６０】
図６に示ように、各フィルタカセット４０の記憶部４５２には、シリアル番号、目詰まり検出信号の閾値Ｖ０ＣＬＧ（以下、「目詰まり閾値Ｖ０ＣＬＧ」という）、フィルタ交換上限回数Ｎ０、およびフィルタ交換回数Ｎが記憶されている。
【００６１】
シリアル番号は、フィルタカセット４０の種類を識別するためにカセット個々に付される番号であり、先頭に付された「ＡＬ」または「ＡＳ」の文字がフィルタカセットの種類を示す。目詰まり閾値Ｖ０ＣＬＧは、フィルタ４０９が使用継続できない程度に目詰まりしたときの目詰まり検出信号の値（電圧値）である。目詰まりセンサ９０が風量センサである場合には、フィルタ４０９が継続使用できない程度に目詰まりしたときの吸気量に相当する電圧値が目詰まり閾値Ｖ０ＣＬＧとなる。目詰まり閾値Ｖ０ＣＬＧは、たとえば、製品開発時に、実験等により決定される。フィルタ交換上限回数Ｎ０は、フィルタ４０９が交換できる全回数である。フィルタ交換回数Ｎは、実際にフィルタ４０９の交換された回数である。
【００６２】
なお、目詰まり閾値Ｖ０ＣＬＧおよびフィルタ交換上限回数Ｎ０は、フィルタカセット４０の種類より異なる値となり得る。また、フィルタ交換回数Ｎの初期値は「０」となる。
【００６３】
さて、本実施の形態では、フィルタ４０９の機能を適正に発揮させるために、フィルタ
カセット４０を管理する制御処理が実行される。
【００６４】
図７は、フィルタカセット４０に関する管理制御の処理フローを示す図である。
【００６５】
操作部にあるメインスイッチがオン操作されると、プロジェクタの運転が開始され、ランプ２０１、液晶パネル２０３、２０４、２０５および冷却ファン５１、５２、５３が起動される。運転が開始されると同時に、フィルタカセット４０に関する管理制御が開始される。
【００６６】
図７を参照して、制御部８０１は、まず、フィルタカセット４０の記憶部４５２からシリアル番号を読み出す（Ｓ１０１）。プロジェクタ本体の記憶部８０２には、プロジェクタに適合するフィルタカセット４０のシリアル番号が記憶されている。制御部８０１は、読み出したシリアル番号と記憶部８０２に記憶されたシリアル番号とを照合する（Ｓ１０２）。
【００６７】
制御部８０１は、読み出したシリアル番号が記憶部８０２に記憶されたシリアル番号に適合していれば（Ｓ１０２：ＹＥＳ）、制御パラメータの初期化を行う（Ｓ１０３）。即ち、記憶部４５２から目詰まり閾値Ｖ０ＣＬＧおよびフィルタ交換上限回数Ｎ０を読み出して、記憶部８０２にある制御パラメータの記憶領域に記憶する。たとえば、フィルタカセット４０がＴｙｐｅ−ＡＬである場合には、目詰まり閾値Ｖ０ＣＬＧＡＬおよびフィルタ交換上限回数Ｎ０ＡＬが記憶部４５２から読み出され、記憶部８０２に記憶される。
【００６８】
次に、制御部８０１は、目詰まり検出を開始し（Ｓ１０４）、目詰まりセンサ９０から目詰まり検出信号（検出電圧）を取得する。そして、取得した目詰まり検出信号に基づいて、目詰まり検出に関する処理を実行する（Ｓ１０５）。
【００６９】
制御部８０１は、メインスイッチがオフ操作されて運転が終了するまで、目詰まり検出に関する処理を繰り返し実行する（Ｓ１０５、Ｓ１０６）。そして、運転が終了すれば（Ｓ１０６：ＹＥＳ）、目詰まり検出を終了して（Ｓ１０７）、すべての処理を終了する。
【００７０】
なお、制御部８０１は、ステップＳ１０２で、記憶部４５２から読み出したシリアル番号が記憶部８０２に記憶されたシリアル番号に適合していなければ（Ｓ１０２：ＮＯ）、適合するフィルタカセット４０が装着されていない旨の報知を報知部６０により行う。
【００７１】
図８は、目詰まりに関する処理の処理フローを示す図である。
【００７２】
図８を参照して、制御部８０１は、目詰まりセンサ９０から取得した目詰まり検出信号ＶＣＬＧと目詰まり閾値Ｖ０ＣＬＧとを比較する（Ｓ２０１）。フィルタ４０９の詰まりがそれほど進行しておらず、目詰まり検出信号ＶＣＬＧが目詰まり閾値Ｖ０ＣＬＧよりも大きいと（Ｓ２０１：ＮＯ）、制御部８０１は、そのまま処理を終了する。
【００７３】
一方、フィルタ４０９の目詰まりがかなり進行し、目詰まり検出信号ＶＣＬＧが目詰まり閾値Ｖ０ＣＬＧよりも小さくなると（Ｓ２０１：ＹＥＳ）、制御部８０１は、フィルタカセット４０の記憶部４５２からフィルタ交換回数Ｎを読み出す（Ｓ２０２）。そして、読み出したフィルタ交換回数Ｎをフィルタ交換上限回数Ｎ０と比較する（Ｓ２０３）。
【００７４】
フィルタ交換回数Ｎがフィルタ交換上限回数Ｎ０に達していなければ（Ｓ２０３：ＮＯ）、制御部８０１は、巻取りモータ７０１を駆動して、フィルタ４０９を巻き取ることにより、フィルタの交換を行う（Ｓ２０４）。そして、フィルタの交換が完了すると、記憶部４５２に記憶されたフィルタ交換回数Ｎの値を更新する（Ｓ２０５）。即ち、制御部８
０１は、フィルタ交換回数Ｎに「１」を加算した後に、新たなフィルタ交換回数Ｎを記憶部４５２に記憶する。
【００７５】
一方、フィルタ交換回数Ｎがフィルタ交換上限回数Ｎ０に達していれば（Ｓ２０３：ＹＥＳ）、制御部８０１は、フィルタカセット４０の交換を促す報知を報知部６０により行う（Ｓ２０６）。ユーザは、この報知に気づくと、運転を終了した後に、フィルタカセット４０を新たなフィルタカセット４０に交換する。
【００７６】
以上説明したとおり、本実施の形態によれば、フィルタカセット４０の管理制御が開始される際に、フィルタカセット４０側に配された記憶部４５２から管理制御の制御パラメータとなる情報が読み出される。よって、フィルタカセット４０を新たなフィルタカセット４０に交換した際、プロジェクタ本体に対して、目詰まり閾値Ｖ０ＣＬＧやフィルタ交換上限回数Ｎ０などの制御パラメータを初期化する設定操作をユーザが行わなくても、記憶部４５２から読み出した制御パラメータを用いて適正な管理制御を行うことができる。
【００７７】
また、本実施の形態によれば、記憶部４５２には、フィルタ交換回数Ｎが記憶されているとともに、フィルタが交換される度に、そのフィルタ交換回数Ｎが更新される。このため、フィルタカセット４０がプロジェクタ本体から取り外され、その後、新たなプロジェクタ本体に装着されることがあっても、新たなプロジェクタ本体側で、更新済みのフィルタ交換回数Ｎが用いられることにより、そのフィルタカセット４０に対して正確な交換時期の判定を行うことができる。これにより、フィルタカセット４０の交換を促す報知を適正に行うことができる。
【００７８】
さらに、本実施の形態によれば、記憶部４５２からフィルタカセット４０の種類に応じて記憶された目詰まり閾値Ｖ０ＣＬＧがプロジェクタ本体に読み出され、この閾値を用いてフィルタの目詰まり具合が判断されるので、そのフィルタカセッ４０に対する適正なタイミングでフィルタを交換することができる。
【００７９】
＜第２の実施形態＞
以下、図９から図１３を参照して、第２の実施形態に係るプロジェクタについて説明する。
【００８０】
第１の実施形態では、自動交換式のフィルタカセット４０がプロジェクタ本体に装着される。これに対し、本実施の形態では、ケース内に１つのフィルタのみが収容され、フィルタの交換が自動で行えない非自動交換式のフィルタカセット４１がプロジェクタ本体に装着される。本実施の形態では、フィルタカセット４１に付随するプロジェクタ本体の一部の構成が第１の実施形態とは異なっている。また、フィルタカセット４１に関する管理制御が第１の実施形態とは異なっている。
【００８１】
なお、以下の図面において、第１の実施形態と同様な構成については、同じ番号が付されている。第１の実施形態と同様な構成については説明を省略する。
【００８２】
図９は、フィルタカセット４１の構成を示す図である。図９（ａ）、（ｂ）は、それぞれ、フィルタカセット４１の正面図および背面図である。図９（ｃ）、（ｄ）は、それぞれ、前方から見たフィルタカセット４１の内部透視図、および上方から見たフィルタカセット４１の内部透視図である。
【００８３】
図９を参照して、フィルタカセット４１は、フィルタを内蔵するカセット本体４２０と、カセット本体４２０に装着された記憶回路部４５０とにより構成されている。記憶回路部４５０の構成は、第１の実施形態と同様である。
【００８４】
カセット本体４２０は、横長直方体形状のケース４２１を備えている。ケース４２１の前面中央部には吸気入口４２２が形成されており、後面中央部には吸気出口４２３が形成されている。吸気入口４２２と吸気出口４２３との間には、外気が通る通風路４２４が形成されている。
【００８５】
ケース４２１内には、通風路４２４を覆うように、シート状のフィルタ４２５が配されている。フィルタ４２５の両端は、保持部材４２６、４２７により保持されている。
【００８６】
記憶回路部４５０は、第１の実施形態と同様、ケース４２１における吸気出口４２３の右側の背面に装着されている。
【００８７】
図１０は、プロジェクタの構成を示すブロック図である。
【００８８】
本実施の形態では、フィルタカセット４１が非自動交換式であるため、プロジェクタ本体側には、図５に示すフィルタ駆動機構７０およびモータ駆動部８１３が設けられていない。それ以外の構成については、第１の実施形態と同様である。
【００８９】
本実施の形態では、第１の実施形態と同様、種類の異なる２つのフィルタカセットがプロジェクタに装着され得る。一つは、フィルタ４２５の目が粗く、大きな塵や埃が除去できるフィルタカセット（Ｔｙｐe−ＮＬ）である。もう一つは、フィルタ４２５の目が細かく、小さな塵や埃が除去できるフィルタカセット（Ｔｙｐｅ−ＮＳ）である。
【００９０】
図１１は、フィルタカセット４１の記憶部４５２に記憶された各種管理情報の内容を示す図である。
【００９１】
図１１に示ように、各フィルタカセット４１の記憶部４５２には、第１の実施形態と同じく、シリアル番号および目詰まり閾値Ｖ０ＣＬＧが記憶されている。さらに、第１の実施形態とは異なる管理情報として、目詰まりリセット上限回数Ｒ０、フィルタの寿命時間Ｔ０、目詰まりリセット回数Ｒ、フィルタの使用積算時間Ｔ、第１リセット判定フラグＦＣＬＧ１および第２リセット判定フラグＦＣＬＧ２が記憶されている。
【００９２】
目詰まりリセット上限回数Ｒ０は、フィルタ４２５を掃除して目詰まりを解消することにより、フィルタ４２５を再び使用可能な状態にできる全回数である。目詰まりリセット上限回数Ｒ０は、掃除によるフィルタ４２５の劣化を考慮して設定される。目詰まりリセット回数Ｒは、目詰まりが解消され、再びフィルタ４２５が使用された回数である。寿命時間Ｔ０は、吸気が行われている状態でフィルタ４２５が使用可能な時間である。使用積算時間Ｔは、吸気が行われている状態でフィルタが使用された積算時間である。第１リセット判定フラグＦＣＬＧ１および第２リセット判定フラグＦＣＬＧ２は、フィルタ４２５の目詰まりが解消したか否かを判定するために用いられるフラグである。
【００９３】
なお、目詰まり閾値Ｖ０ＣＬＧ、フィルタ目詰まりリセット上限回数Ｒ０および寿命時間Ｔ０は、フィルタカセット４１の種類より異なる値となり得る。また、目詰まりリセット回数Ｒ、使用積算時間Ｔ、第１リセット判定フラグＦＣＬＧ１および第２リセット判定フラグＦＣＬＧ２の初期値は「０」となる。
【００９４】
図１２は、フィルタカセット４１の管理制御に関する処理フローを示す図である。
【００９５】
第１の実施形態と同様に、運転が開始されると同時に、フィルタカセット４１の管理制御が開始される。
【００９６】
図１２を参照して、制御部８０１は、まず、フィルタカセット４０の記憶部４５２からシリアル番号を読み出す（Ｓ３０１）。そして、読み出したシリアル番号と記憶部８０２に記憶されたシリアル番号とを照合する（Ｓ３０２）。
【００９７】
制御部８０１は、読み出したシリアル番号が記憶部８０２に記憶されたシリアル番号に適合していれば（Ｓ３０２：ＹＥＳ）、制御パラメータの初期化を行う（Ｓ３０３）。即ち、記憶部４５２から目詰まり閾値Ｖ０ＣＬＧ、目詰まりリセット上限回数Ｒ０および寿命時間Ｔ０を読み出して、記憶部８０２にある制御パラメータの記憶領域に記憶させる。たとえば、フィルタカセット４１がＴｙｐｅ−ＮＬである場合には、目詰まり閾値Ｖ０ＣＬＧＮＬ、目詰まりリセット上限回数Ｒ０ＮＬおよび寿命時間Ｔ０ＮＬが記憶部４５２から読み出され、記憶部８０２に記憶される。
【００９８】
次に、制御部８０１は、後に実行される使用積算時間に関する処理に用いられる使用時間増加分ｔを「０」の状態にリセットする（Ｓ３０４）。そして、フィルタの使用時間の計測を開始する（Ｓ３０５）。さらに、制御部８０１は、目詰まり検出を開始し（Ｓ３０６）、目詰まりセンサ９０から目詰まり検出信号（検出電圧）を取得する。
【００９９】
次に、制御部８０１は、計測したフィルタの使用時間に基づいて、使用積算時間に関する処理を実行する（Ｓ３０７）。また、取得した目詰まり検出信号に基づいて、目詰まり検出に関する処理を実行する（Ｓ３０８）。
【０１００】
制御部８０１は、メインスイッチがオフ操作されて運転が終了するまで、使用積算時間に関する処理および目詰まり検出に関する処理を繰り返し実行する（Ｓ３０７〜Ｓ３０９）。そして、運転が終了すれば（Ｓ３０９：ＹＥＳ）、フィルタの使用時間の計測と目詰まり検出を終了して（Ｓ３１０）、すべての処理を終了する。
【０１０１】
なお、制御部８０１は、ステップＳ３０２で、記憶部４５２から読み出したシリアル番号が記憶部８０２に記憶されたシリアル番号に適合していなければ（Ｓ３０２：ＮＯ）、適合するフィルタカセット４１が装着されていない旨の報知を報知部６０により行う（Ｓ３１１）。
【０１０２】
図１３（ａ）は、使用積算時間に関する処理の処理フローを示す図である。
【０１０３】
図１３（ａ）を参照し、制御部８０１は、フィルタカセット４１の記憶部４５２から使用積算時間Ｔを読み出す（Ｓ４０１）。そして、読み出した使用積算時間Ｔと寿命時間Ｔ０とを比較する（Ｓ４０２）。
【０１０４】
制御部８０１は、使用積算時間Ｔが寿命時間Ｔ０より短ければ、次に、使用積算時間Ｔからの使用時間増加分ｔが所定時間ｔ０（たとえば、数分程度の時間）になった否かを判定する（Ｓ４０３）。
【０１０５】
制御部８０１は、使用時間増加分ｔが所定時間ｔ０になったと判定すると（Ｓ４０３：ＹＥＳ）、記憶部４５２に記憶された使用積算時間Ｔを更新する（Ｓ４０４）。即ち、制御部８０１は、使用積算時間Ｔに所定時間ｔ０を加算した後、新たな使用積算時間Ｔを記憶部４５２に記憶する。そして、使用時間増加分ｔを「０」の状態にリセットする（Ｓ４０５）。
【０１０６】
一方、ステップＳ４０２で、使用積算時間Ｔが寿命時間Ｔ０を超えていれば（Ｓ４０２：ＹＥＳ）、制御部８０１は、フィルタ４２５の寿命時間が超過した旨の報知を報知部６
０により行う（Ｓ４０６）。ユーザは、この報知に気づくと、運転を終了した後に、フィルタカセット４１を新たなフィルタカセット４１に交換する。
【０１０７】
図１３（ｂ）は、目詰まり検出に関する処理の処理フローを示す図である。
【０１０８】
図１３（ｂ）を参照して、制御部８０１は、目詰まりセンサ９０から取得した目詰まり検出信号ＶＣＬＧと目詰まり閾値Ｖ０ＣＬＧとを比較する（Ｓ５０１）。フィルタ４２５の詰まりがそれほど進行しておらず、目詰まり検出信号ＶＣＬＧが目詰まり閾値Ｖ０ＣＬＧよりも大きいと（Ｓ５０１：ＮＯ）、制御部８０１は、第１リセット判定フラグＦＣＬＧ１を「０」にセットする。（Ｓ５０２）。
【０１０９】
次に、制御部８０１は、第１リセット判定フラグＦＣＬＧ１が「０」かつ第２リセット判定フラグＦＣＬＧ２が「１」であるか否かを判定する（Ｓ５０３）。フィルタ４２５の目詰まりが進行しておらず、未だ目詰まりが起きている旨の報知がなされていないときには、第２リセット判定フラグＦＣＬＧ２は「０」であるので（Ｓ５０３：ＮＯ）、制御部８０１は、第２リセット判定フラグＦＣＬＧ２に第１リセット判定フラグＦＣＬＧ１の値である「０」をセットし（Ｓ５０４）、処理を終了する。
【０１１０】
その後、フィルタ４２５の目詰まりが進行し、ステップＳ５０１で、目詰まり検出信号ＶＣＬＧが目詰まり閾値Ｖ０ＣＬＧよりも小さくなると（Ｓ５０１：ＹＥＳ）、制御部８０１は、フィルタ４２５が目詰まりを起こしている旨を報知部６０により報知する（Ｓ５０５）。そして、第１リセット判定フラグＦＣＬＧ１を「１」にセットする。（Ｓ５０６）。
【０１１１】
次に、制御部８０１は、第１リセット判定フラグＦＣＬＧ１が「０」かつ第２リセット判定フラグＦＣＬＧ２が「１」であるか否かを判定する（Ｓ５０３）。ここでは、第１リセット判定フラグＦＣＬＧ１が「１」であるので（Ｓ５０３：ＮＯ）、制御部８０１は、第２リセット判定フラグＦＣＬＧ２に第１リセット判定フラグＦＣＬＧ１の値である「１」をセットし（Ｓ５０４）、処理を終了する。
【０１１２】
ユーザは、目詰まり報知に気づくと、フィルタ４２５を掃除し、付着した塵や埃を取り除く。これにより、フィルタ４２５の目詰まりが解消すると、ステップＳ５０１で、詰まり検出信号ＶＣＬＧが目詰まり閾値Ｖ０ＣＬＧよりも大きくなるため（Ｓ５０１：ＮＯ）、制御部８０１は、第１リセット判定フラグＦＣＬＧ１を「０」にセットする（Ｓ５０６）。
【０１１３】
こうなると、第２リセット判定フラグＦＣＬＧ２が「１」のまま、第１リセット判定フラグＦＣＬＧ１が「０」となるので、次のステップＳ５０３では、第１リセット判定フラグＦＣＬＧ１が「０」かつ第２リセット判定フラグＦＣＬＧ２が「１」であると判定される（Ｓ５０３：ＹＥＳ）。これにより、制御部８０１は、記憶部４５２に記憶された目詰まりリセット回数Ｒを読み出して、読み出した目詰まりリセット回数Ｒに「１」を加算する（Ｓ５０７）。そして、新たな目詰まりリセット回数Ｒを目詰まりリセット上限回数Ｒ０と比較する（Ｓ５０８）。
【０１１４】
目詰まりリセット回数Ｒが目詰まりリセット上限回数Ｒ０に達していなければ（Ｓ５０８：ＮＯ）、制御部８０１は、目詰まりリセット回数Ｒを記憶部４５２に記憶する（Ｓ５０９）。そして、第２リセット判定フラグＦＣＬＧ２に第１リセット判定フラグＦＣＬＧ１の値である「０」をセットし（Ｓ５０４）、処理を終了する。
【０１１５】
一方、ステップＳ５０８で、目詰まりリセット回数Ｒが目詰まりリセット上限回数Ｒ０
に達していれば（Ｓ５０８：ＹＥＳ）、制御部８０１は、フィルタの寿命時間が超過した旨の報知を報知部６０により行う（Ｓ５１０）。
【０１１６】
以上、本実施の形態によれば、第１の実施形態と同様、フィルタカセット４１を新たなフィルタカセット４１に交換した際に、プロジェクタ本体に対して、制御パラメータを初期化する設定操作をユーザが行わなくても、記憶部４５２から読み出した制御パラメータを用いて適正な管理制御を行うことができる。
【０１１７】
また、本実施の形態によれば、記憶部４５２には、目詰まりリセット回数Ｒが記憶されているとともに、フィルタ４２５の目詰まりが解消される度に、その目詰まりリセット回数Ｒが更新される。このため、フィルタカセット４１がプロジェクタ本体から取り外され、その後、新たなプロジェクタ本体に装着されることがあっても、新たなプロジェクタ本体側で、更新済みの目詰まりリセット回数Ｒが用いられることにより、そのフィルタカセット４１に対して正確な交換時期の判定を行うことができる。これにより、フィルタカセット４１の交換を促す報知を適正に行うことができる。
【０１１８】
さらに、本実施の形態によれば、記憶部４５２からフィルタカセット４１の種類に応じて記憶された目詰まり閾値Ｖ０ＣＬＧがプロジェクタ本体に読み出され、この閾値を用いてフィルタの目詰まり具合が判断されるので、そのフィルタカセッ４１に対する適正なタイミングでフィルタ４２５の目詰まりを報知することができる。
【０１１９】
＜第３の実施形態＞
以下、図１４から図１７を参照して、第３の実施形態に係るプロジェクタについて説明する。
【０１２０】
本実施の形態では、自動清掃・交換式のフィルタカセット４２がプロジェクタ本体に装着される。これにより、本実施の形態では、フィルタの交換が自動的に行われるとともに、フィルタが交換される際に、使用されていたフィルタ部分の掃除が自動的に行われる。本実施の形態では、フィルタカセット４２に付随するプロジェクタ本体の一部の構成が第１の実施形態と異なっている。また、フィルタカセット４２に対する管理制御が第１の実施形態と異なっている。
【０１２１】
なお、以下の図面において、第１の実施形態と同様な構成については、同じ番号が付されている。第１の実施形態と同様な構成については説明を省略する。
【０１２２】
図１４は、フィルタカセット４２の構成を示す図である。図１４（ａ）、（ｂ）は、それぞれ、フィルタカセット４２の正面図および背面図である。図１４（ｃ）、（ｄ）は、それぞれ、前方から見たフィルタカセット４１の内部透視図、および上方から見たフィルタカセット４１の内部透視図である。
【０１２３】
図１４を参照して、フィルタカセット４２は、フィルタを内蔵するカセット本体４３０と、カセット本体４３０に装着された記憶回路部４５０とにより構成されている。記憶回路部４５０の構成は、第１の実施形態と同様である。
【０１２４】
カセット本体４３０は、横長直方体形状のケース４３１を備えている。ケース４３１の前面中央部には吸気入口４３２が形成されており、後面中央部には吸気出口４３３が形成されている。吸気入口４３２と吸気出口４３３との間には、外気が通る通風路４３４が形成されている。ケース４３１において、通風路４３４の両側には、フィルタ収納部４３５、４３６が形成されている。フィルタ収容部４３５、４３６には、巻取り軸４３７、４３８、ガイド軸４４０、４４１および掃除ブラシ４４２、４４３が回転可能に配されている
。
【０１２５】
ケース４３１内には、通風路４３４を覆うように、シート状のフィルタ４３９が配されている。フィルタ４３９は、全く使用されていない状態においては、未使用部分が巻取り軸４３８に巻かれている。巻取り軸４３７、４３８が巻取り軸４３７への巻取り方向に回転すると、フィルタ４３９は、通風路４３４内に配されていた使用部分が巻取り軸４３７に巻き取られ、未使用部分が通風路４３４側へ移動する。このとき、巻取り軸４３７、４３８とともに掃除ブラシ４４２、４４３が回転する。フィルタ４３９の使用部分は、巻取り軸４３７に巻き取られる際に、埃等が付着した面が、回転する掃除ブラシ４４２に接触する。フィルタ４３９に付着していた埃等は、掃除ブラシ４４２によって掻き落とされ、ダストボックス４４４に収容される。
【０１２６】
フィルタ４３９がすべて巻取り軸４３７に巻き取られると、次のフィルタ交換時には、巻取り軸４３７、４３８が巻取り軸４３８への巻取り方向に回転する。すると、フィルタ４３９は、通風路４３４内に配されていた使用部分が巻取り軸４３８に巻き取られ、巻取り軸４３７に巻かれていた部分が通風路４３４側へ移動する。このとき、フィルタ４３９の使用部分は、巻取り軸４３８に巻き取られる際に、埃等が付着した面が、回転する掃除ブラシ４４３に接触する。フィルタ４３９に付着していた埃等は、掃除ブラシ４４３によって掻き落とされ、ダストボックス４４５に収容される。
【０１２７】
なお、フィルタ４３９は、ガイド軸４４０、４４１によってガイドされ、巻取り軸４３７と巻取り軸４３８との間を円滑に移動する。
【０１２８】
記憶回路部４５０は、第１の実施形態と同様、ケース４３１における吸気出口４３３の右側の背面に装着されている。
【０１２９】
図１５は、プロジェクタの構成を示すブロック図である。
【０１３０】
本実施の形態では、フィルタカセット４２の巻取り軸４３７、４３８に加えて、掃除ブラシ４４２、４４３が駆動される。このため、図５に示すフィルタ駆動機構７０およびモータ駆動部８１３に替えて、フィルタ駆動機構７１およびモータ駆動部８１３が設けられている。それ以外の構成については、第１の実施形態と同様である。
【０１３１】
フィルタ駆動機構７１は、巻取りモータ７０１に加えて、ブラシ用モータ７０２を備えている。フィルタカセット４２がフィルタ装着部１０４へ装着されると、２つの巻取り軸４３７、４３８が、フィルタ駆動機構７１の伝達機構（図示せず）を介して巻取りモータ７０１に連結される。また、２つの掃除ブラシ４４２、４４３がフィルタ駆動機構７１の伝達機構（図示せず）を介してブラシ用モータ７０２に連結される。
【０１３２】
モータ駆動部８１３は、制御部８０１からの制御信号に従って巻取りモータ７０１およびブラシ用モータ７０２を駆動する。
【０１３３】
こうして、巻取りモータが回転７０１すると、２つの巻取り軸４３７、４３８が回転し、フィルタ４３９が巻取り軸４３７側あるいは巻取り軸４３８側へ巻き取られる。また、ブラシ用モータ７０２が回転すると、掃除ブラシ４４２、４４３が回転し、フィルタ４３９が掃除される。
【０１３４】
本実施の形態では、第１の実施形態と同様、種類の異なる２つのフィルタカセットがプロジェクタに装着され得る。一つは、フィルタ４３９の目が粗く、大きな塵や埃が除去できるフィルタカセット（Ｔｙｐe−ＡＣＬ）である。もう一つは、フィルタ４３９の目が
細かく、小さな塵や埃が除去できるフィルタカセット（Ｔｙｐｅ−ＡＣＳ）である。
【０１３５】
図１６は、フィルタカセット４２の記憶部４５２に記憶された各種管理情報の内容を示す図である。
【０１３６】
図１６に示ように、各フィルタカセット４２の記憶部４５２には、第１の実施形態と同じく、シリアル番号および目詰まり閾値Ｖ０ＣＬＧが記憶されている。さらに、第１の実施形態とは異なる情報として、フィルタ掃除上限回数Ｃ０およびフィルタ掃除回数Ｃが記憶されている。
【０１３７】
フィルタ掃除上限回数Ｃ０は、掃除ブラシ４４２、４４３によってフィルタ４３９を掃除できる全回数である。即ち、フィルタ掃除上限回数Ｃ０は、フィルタ４３９の使用部分１か所当たりの掃除ができる回数と、フィルタ４３９が交換できる回数とを乗算した回数である。使用部分の１か所当たりの掃除ができる回数は、掃除によるフィルタ４３９の劣化を考慮して設定される。フィルタ掃除回数Ｃは、実際にフィルタ４３９が掃除された回数である。
【０１３８】
なお、目詰まり閾値Ｖ０ＣＬＧおよびフィルタ掃除回数Ｃ０は、フィルタカセット４２の種類より異なる値となり得る。また、フィルタ掃除回数Ｃの初期値は「０」となる。
【０１３９】
本実施の形態におけるフィルタカセット４２に関する管理制御は、図７に示す管理制御と同様である。ただし、本実施の形態では、図７のステップＳ１０３の処理において、フィルタ交換上限回数Ｎ０に替えて、フィルタ掃除上限回数Ｃ０が、記憶部８０２にある制御パラメータの記憶領域に記憶される。
【０１４０】
また、本実施の形態では、フィルタカセット４２の構造が異なることにより、図７のステップＳ１０５で実行される目詰まり検出に関する処理の具体的な処理内容が、第１の実施形態とは異なっている。
【０１４１】
図１７は、目詰まり検出に関する処理の処理フローを示す図である。
【０１４２】
図１７を参照して、制御部８０１は、目詰まりセンサ９０から取得した目詰まり検出信号ＶＣＬＧと目詰まり閾値Ｖ０ＣＬＧとを比較する（Ｓ６０１）。フィルタ４０９の詰まりがそれほど進行しておらず、目詰まり検出信号ＶＣＬＧが目詰まり閾値Ｖ０ＣＬＧよりも大きいと（Ｓ６０１：ＮＯ）、制御部８０１は、そのまま処理を終了する。
【０１４３】
一方、フィルタ４３９の目詰まりがかなり進行し、目詰まり検出信号ＶＣＬＧが目詰まり閾値Ｖ０ＣＬＧよりも小さくなると（Ｓ６０１：ＹＥＳ）、制御部８０１は、フィルタカセット４２の記憶部４５２からフィルタ掃除回数Ｃを読み出す（Ｓ６０２）。そして、読み出したフィルタ掃除回数Ｃをフィルタ掃除上限回数Ｃ０と比較する（Ｓ６０３）。
【０１４４】
フィルタ掃除回数Ｃがフィルタ掃除上限回数Ｃ０に達していなければ（Ｓ６０３：ＮＯ）、制御部８０１は、巻取りモータ７０１およびブラシ用モータ７０２を駆動してフィルタ４３９を巻き取ることにより、フィルタを交換しつつ、掃除ブラシ４４２、４４３によってフィルタ４３９の使用されていた部分を掃除する（Ｓ６０４）。そして、フィルタ４３９の交換および掃除が完了すると、記憶部４５２に記憶されたフィルタ掃除回数Ｃの値を更新する（Ｓ６０５）。即ち、制御部８０１は、フィルタ掃除回数Ｃに「１」を加算した後に、新たなフィルタ掃除回数Ｃを記憶部４５２に記憶する。
【０１４５】
一方、フィルタ掃除回数Ｃがフィルタ掃除上限回数Ｃ０に達していれば（Ｓ６０３：Ｙ
ＥＳ）、制御部８０１は、フィルタカセット４２の交換を促す報知を報知部６０により行う（Ｓ６０６）。ユーザは、この報知に気づくと、運転を終了した後に、フィルタカセット４２を新たなフィルタカセット４２に交換する。
【０１４６】
以上、本実施の形態によれば、第１の実施形態と同様、フィルタカセット４２を新たなフィルタカセット４２に交換した際に、プロジェクタ本体に対して、制御パラメータを初期化する設定操作をユーザが行わなくても、記憶部４５２から読み出した制御パラメータを用いて適正な管理制御を行うことができる。
【０１４７】
また、本実施の形態によれば、記憶部４５２には、フィルタ掃除回数Ｃが記憶されているとともに、フィルタが交換される度に、そのフィルタ掃除回数Ｃが更新される。このため、フィルタカセット４２がプロジェクタ本体から取り外され、その後、新たなプロジェクタ本体に装着されることがあっても、新たなプロジェクタ本体側で、更新済みのフィルタ掃除回数Ｃが用いられることにより、そのフィルタカセット４２に対して正確な交換時期の判定を行うことができる。これにより、フィルタカセット４２の交換を促す報知を適正に行うことができる。
【０１４８】
さらに、本実施の形態によれば、記憶部４５２からフィルタカセット４２の種類に応じて記憶された目詰まり閾値Ｖ０ＣＬＧがプロジェクタ本体に読み出され、この閾値を用いてフィルタの目詰まり具合が判断されるので、そのフィルタカセッ４２に対する適正なタイミングでフィルタ４３９を交換しつつ掃除することができる。
【０１４９】
＜その他＞
以上、第１の実施形態、第２の実施形態および第３の実施形態について説明したが、本発明は上記実施の形態に何ら制限されるものではなく、また、本発明の実施形態も、上記実施の形態に以外に、種々の変更が可能である。
【０１５０】
たとえば、上記３つの実施形態では、種類の異なる２つのフィルタカセット４０（４１、４２）が、プロジェクタ本体に装着できるよう構成されているが、これに限らず、種類の異なる３つ以上のフィルタカセットがプロジェクタ本体に装着できるような構成とされてもよい。
【０１５１】
また、上記３つの実施形態では、目詰まりセンサ９０として、風量センサが用いられているが、これに限らず、温度センサが用いられてもよい。この場合、たとえば、温度センサによって、液晶パネル２０３、２０４、２０５やランプ２０１の温度が測定され得る。フィルタが目詰まりを起こして吸気量が低下すると、パネル用冷却ファン５３やランプ冷却ファン５１の冷却能力が低下するため、温度センサによる測定温度が上昇する。温度センサからは、測定温度に応じた検出信号（検出電圧）が制御部８０１へ出力される。
【０１５２】
さらに、上記３つの実施形態では、フィルタカセット４０（４１、４２）の目詰まり具合を判定し、判定結果に基づいて、フィルタが目詰まりを起こしている旨を報知したりフィルタを自動的に交換したりする制御を行っている。また、フィルタカセット４０（４１、４２）の交換時期を判定し、判定結果に基づいて、フィルタカセット４０（４１、４２）の交換を促す報知を行う制御を行っている。しかしながら、これに限らず、フィルタの機能を適正に発揮させるための他の管理制御が行われてもよい。
【０１５３】
また、上記３つの実施形態では、記憶回路部４５０がフィルタカセット４０（４１、４２）のケース４０１（４２１、４３１）の背面の外側に装着されている。しかしながら、これに限らず、記憶回路部４５０がケースの４０１（４２１、４３１）の背面の内側に装着され、コネクタ４５１のみが、ケースの４０１（４２１、４３１）の背面から外部に臨
むような構成とされてもよい。
【０１５４】
さらに、上記３つの実施形態では、本発明をプロジェクタに適用しているが、これに限らず、本発明を、エアコンや空気清浄機など、フィルタを有する他の電気機器に適用するようにしてもよい。
【０１５５】
この他、本発明の実施の形態は、特許請求の範囲に示された技術的思想の範囲内において、適宜、種々の変更が可能である。
【符号の説明】
【０１５６】
４０、４１、４２  フィルタカセット（フィルタ装置）
９０  目詰まりセンサ（目詰まり検出部）
４０９、４２５、４３９  フィルタ
４５１  コネクタ（通信部）
４５２  記憶部
８０１  制御部
【図１】
2011221140.tif 000003
【図２】
2011221140.tif 000004
【図３】
2011221140.tif 000005
【図４】
2011221140.tif 000006
【図５】
2011221140.tif 000007
【図６】
2011221140.tif 000008
【図７】
2011221140.tif 000009
【図８】
2011221140.tif 000010
【図９】
2011221140.tif 000011
【図１０】
2011221140.tif 000012
【図１１】
2011221140.tif 000013
【図１２】
2011221140.tif 000014
【図１３】
2011221140.tif 000015
【図１４】
2011221140.tif 000016
【図１５】
2011221140.tif 000017
【図１６】
2011221140.tif 000018
【図１７】
2011221140.tif 000019